(57)【要約】【課題】従来の充電器及び変換プラグにおいては、変換プラグを充電器本体に装着した際の変換プラグのロック機構が変換プラグのセンター位置に２箇所直線方向に設けられているために変換プラグの充電器本体への固定が不安定であること、またロック機構の周りには隙間が存在あり、埃などが変換プラグと充電器本体の間に浸入する可能性が高いという課題があった。本発明は変換プラグを安定的に固定させ、埃などが変換プラグと充電器本体の間に浸入する可能性を下げられる充電器を提供することを目的とする。【解決手段】充電器本体１７に構成されたＡＣプラグ９の形態を変換プラグに取り付けることにより異なった形態のＡＣプラグに変換可能とする充電器において、前記変換プラグを前記充電器本体１７に固定するスライド溝１０ａ、１０ｂが少なくとも３箇所設けられ、前記変換プラグのハウジング２に防塵壁5ｃが形成される構成とした。【選択図】図２
2012043667.tif 000002
【特許請求の範囲】
【請求項１】
充電する電池を接続装着する電池装着部を一面に備え、他面にＡＣプラグを回動可能に取り付けて収納および表出可能とした収納凹部を設けるとともに内部に充電回路を備えた充電器本体と、この充電器本体の表出したＡＣプラグに装着されてハウジングに設けたプラグピンによりＡＣプラグに電力を供給する変換プラグとからなり、充電器本体に対して変換プラグを組合せ、両者をスライドさせることにより装着状態でロックされるように構成した充電器において、前記充電器本体の収納凹部に変換プラグのハウジングの結合面に設けたスライドフックをはめ込むスライド溝を少なくとも３箇所設けるとともに、変換プラグのハウジングの結合面に充電器本体と変換プラグの結合のスライド終了時点で収納凹部が密閉される防塵壁を設けたことを特徴とする充電器。
【請求項２】
前記防塵壁を２箇所のスライドフックを結合するリブにより形成した請求項１記載の充電器。
【発明の詳細な説明】
【技術分野】
【０００１】
本発明はＡＣプラグの形態を変換プラグを取り付けることにより異なった形態のＡＣプラグに変換可能とする充電器に関するものである。
【背景技術】
【０００２】
従来の充電器の一例を図５〜図８に示す。
【０００３】
図５は従来例における変換プラグを装着完了したときの充電器の斜視図である。
【０００４】
図中の矢印Ｄは後述する変換プラグのスライドフックの係合方向を示す。
【０００５】
図６は従来例における充電器の断面図（図５の断面Ａ−Ａにおける断面図）を示す。
【０００６】
図７は従来例における変換プラグの斜視図である。
【０００７】
図８は従来例における変換プラグの装着動作を説明するための充電器の斜視図である。
【０００８】
図７において２１は変換プラグのプラグピンであり黄銅等の金属製で変換プラグのハウジング２２にインサート成型されている。２２は変換プラグのハウジングでありプラスチック（例えばＰＰＥ、ＰＣ等）で成型されている。２３は変換プラグのボトムプレートでありハウジング２２と同じ材料で成型され、ハウジングの底部に超音波溶着またはビス固定等により固定されている。２４は充電器本体３７に構成されたＡＣプラグ２９（図８参照）のブレードが挿入されるボトムプレート２３に開けられた挿入口、２５ａ、２５ｂはボトムプレート２３に設けられた変換プラグを充電器本体３７に固定するためのスライドフックである。
【０００９】
図８において２７はプラスチック製（例えばＰＰＥ、ＰＣ等）の充電器の上ケース、２８は上ケース２７と同じ材質製の充電器の下ケース、２９は充電器本体３７に設けられたＡＣプラグ、３０ａ、３０ｂは充電器本体側に設けられた変換プラグのスライドフック２５ａ、２５ｂと係合する係合部である。係合部３０ａはＡＣプラグ２９の本体樹脂部分の凹部によって構成されており、係合部３０ｂは上ケース２７と下ケース２８のビス固定用のボスの部分に凸形状で形成されている。３５は充電器を携帯するときにＡＣプラグ２９を倒しこんで収納し、充電器の携帯性を良くするための収納凹部である。
【００１０】
図６において３２は充電器の電気部品が実装される回路基板（電気部品は図示せず）であり、充電する電池（図示せず）を接続装着する電池装着部３６が形成された上ケース２７と下ケース２８との間に挟持されている。３３はバネ用りん青銅等により形成されたコンタクト端子であり変換プラグのプラグピン２１にカシメ等により固定され、充電器のＡＣプラグ２９との導通が確保されている。３１はストッパーであり、変換プラグのスライドフック２５ａ、２５ｂが外れないようにスライドフック２５ｂを係止する位置に設けられ、摺動自在にバネ３４を介して上ケース２７に構成されている。
【００１１】
本断面図は変換プラグを充電器に取り付けたときの断面図であるが、変換プラグの充電器への取付方法としては、まずストッパー３１を充電器の上ケース２７側へ退避させておき、スライドフック２５ａをＡＣプラグ本体樹脂部分の係合部３０ａに係合させ、スライドフック２５ｂを下ケース２８の係合部３０ｂに係合させた後にストッパー３１がバネ３４により元の位置へ戻されることによりスライドフック２５ｂ部がロックされ充電器本体３７と変換プラグとが固定される構成となっている。（例えば、特許文献１  参照）。
【先行技術文献】
【特許文献】
【００１２】
【特許文献１】特開２００７−５２９９８号公報
【発明の概要】
【発明が解決しようとする課題】
【００１３】
しかしながら前記従来の充電器においては、変換プラグを充電器本体に装着した際の変換プラグのロック機構が変換プラグのセンター位置に２箇所直線方向に設けられているために変換プラグの充電器本体への固定が不安定であり、変換プラグのこじりに対する強度が弱いという課題があった。
【００１４】
また、収納凹部入り口部分の充電器本体と変換プラグとのロック機構の周りには隙間が存在しており、変換プラグを付けた充電器本体をコンセントに差したままの状態にしておいた場合などに収納凹部の中へ埃や液体等が浸入し、充電器本体のＡＣプラグのブレード間に付着する可能性が高く、トラッキング現象を発生させる可能性があるという課題があった。
【００１５】
本発明は変換プラグの充電器本体への固定を安定させ、埃や液体等が変換プラグと充電器本体の間に浸入する可能性が低くなる充電器を提供することを目的とする。
【課題を解決するための手段】
【００１６】
前記目的を達成するために本発明の充電器は、充電する電池を接続装着する電池装着部を一面に備え、他面にＡＣプラグを回動可能に取り付けて収納および表出可能とした収納凹部を設けるとともに内部に充電回路を備えた充電器本体と、この充電器本体の表出したＡＣプラグに装着されてハウジングに設けたプラグピンによりＡＣプラグに電力を供給する変換プラグとからなり、充電器本体に対して変換プラグを組合せ、両者をスライドさせることにより装着状態でロックされるように構成した充電器において、前記充電器本体の収納凹部に変換プラグのハウジングの結合面に設けたスライドフックをはめ込むスライド溝を少なくとも３箇所設けるとともに、変換プラグのハウジングの結合面に充電器本体と変換プラグの結合のスライド終了時点で収納凹部が密閉される防塵壁が設けられて構成されている。
【発明の効果】
【００１７】
本発明によると、充電器は変換プラグを充電器本体に固定する係合部が３箇所設けられている。これにより変換プラグの充電器本体への固定が安定し、変換プラグのこじりに対する強度が強くなる。また、変換プラグが装着完了されたときにＡＣプラグの収納凹部の入り口に蓋をするように防塵壁が変換プラグに設けてあるため埃や液体等が変換プラグと充電器本体の間に浸入する可能性が低くなり、ＡＣプラグのトラッキングを発生させる可能性が低下するという充電器を提供することができる。
【図面の簡単な説明】
【００１８】
【図１】本発明の実施の形態に示す充電器の斜視図（変換プラグ装着後）
【図２】本発明の実施の形態に示す充電器の断面図
【図３】本発明の実施の形態に示す変換プラグの斜視図
【図４】本発明の実施の形態に示す充電器の斜視図（変換プラグ装着前）
【図５】従来例における充電器の斜視図（変換プラグ装着後）
【図６】従来例における充電器の断面図
【図７】従来例における変換プラグの斜視図
【図８】従来例における充電器の斜視図（変換プラグ装着前）
【発明を実施するための形態】
【００１９】
本発明の第一の発明は、充電する電池を接続装着する電池装着部を一面に備え、他面にＡＣプラグを回動可能に取り付けて収納および表出可能とした収納凹部を設けるとともに内部に充電回路を備えた充電器本体と、この充電器本体の表出したＡＣプラグに装着されてハウジングに設けたプラグピンによりＡＣプラグに電力を供給する変換プラグとからなり、充電器本体に対して変換プラグを組合せ、両者をスライドさせることにより装着状態でロックされるように構成した充電器において、前記充電器本体の収納凹部に変換プラグのハウジングの結合面に設けたスライドフックをはめ込むスライド溝を少なくとも３箇所設けるとともに、変換プラグのハウジングの結合面に充電器本体と変換プラグの結合のスライド終了時点で収納凹部が密閉される防塵壁が設けられて構成されている。
【００２０】
これにより変換プラグの充電器本体への固定が安定し、変換プラグのこじりに対する強度が強くなる。また、変換プラグが装着完了されたときにＡＣプラグの収納凹部の入り口に蓋をするように防塵壁が変換プラグに設けてあるため埃や液体等が変換プラグと充電器本体の間に浸入する可能性が低くなり、ＡＣプラグのトラッキングを発生させる可能性が低下するという充電器を提供することができる。
【００２１】
本発明の第二の発明は、充電する電池を接続装着する電池装着部を一面に備え、他面にＡＣプラグを回動可能に取り付けて収納および表出可能とした収納凹部を設けるとともに内部に充電回路を備えた充電器本体と、この充電器本体の表出したＡＣプラグに装着されてハウジングに設けたプラグピンによりＡＣプラグに電力を供給する変換プラグとからなり、充電器本体に対して変換プラグを組合せ、両者をスライドさせることにより装着状態でロックされるように構成した充電器において、前記充電器本体の収納凹部に変換プラグのハウジングの結合面に設けたスライドフックをはめ込むスライド溝を少なくとも３箇所設けるとともに、変換プラグのハウジングの結合面に充電器本体と変換プラグの結合のスライド終了時点で収納凹部が密閉される防塵壁が設けられて構成されている。
【００２２】
これにより変換プラグの充電器本体への固定が安定し、変換プラグのこじりに対する強度が強くなる。また、変換プラグが装着完了されたときにＡＣプラグの収納凹部の入り口に蓋をするように防塵壁が変換プラグに設けてあるため埃や液体等が変換プラグと充電器本体の間に浸入する可能性が低くなり、ＡＣプラグのトラッキングを発生させる可能性が低下するという充電器を提供することができる。
【００２３】
ここで、防塵壁は二箇所のスライドフックを結合するリブにより形成されており、このことによりスライドフックの補強と防塵壁の補強を兼ね備えることができ、変換プラグの充電器本体への固定強度を増強することが可能である。
【００２４】
以下本発明を実施するための最良の形態について図面を参照しながら説明する。
【００２５】
（実施の形態１）
図１は本発明の実施の形態における変換プラグを装着完了したときの充電器の斜視図である。図中の矢印Ｄは後述する変換プラグのスライドフックの係合動作方向を示す。
【００２６】
図２は本発明の実施の形態における充電器の断面図（図１の断面Ａ−Ａにおける断面図）を示す。
【００２７】
図３は本発明の実施の形態における変換プラグの斜視図である。
【００２８】
図３において１は変換プラグのプラグピンであり黄銅等の金属製で変換プラグのハウジング２にインサート成型されている。２は変換プラグのハウジングでありプラスチック（例えばＰＰＥ、ＰＣ等）で成型されている、３は変換プラグの結合面を構成するボトムプレートでありハウジング２と同じ材料で成型され、ハウジング２の底部に超音波溶着またはビス固定等により固定されている。４は充電器本体１７に構成されたＡＣプラグ９（図４参照）のブレードが挿入されるボトムプレート３に開けられた挿入口、５ａ、５ｂはボトムプレート３に設けられた変換プラグを充電器本体１７に固定するためのスライドフックである。スライドフック５ａはＬ字形状をしており、ボトムプレート３上の挿入口４に近い側の辺の中央部に１箇所設けられている。一方スライドフック５ｂはボトムプレート３上のスライドフック５ａの位置する辺と対向する辺側に２箇所設けられ、この２つのスライドフック５ｂ同士が補強のためのリブで結合され、更にこの補強リブをボトムプレート３と垂直な方向へ延長し、防塵壁５ｃを形成している。６はロック爪であり、ボトムプレート３の一部分を厚さ約１ｍｍの薄肉とし、この部分の両側と一端に切り込みを設け、長さ約８ｍｍ幅約３ｍｍの板バネ形状にし、弾性を持たせたＬ字形状をしたロック爪６を形成している。このロック爪６にロック爪レバー１４をハウジング２を貫通してハウジング２の外側にロック爪レバー１４の先端が露出するように設け（図４参照）、レバー操作によりロック爪６が移動可能に構成されている。
【００２９】
図４は本発明の実施の形態における変換プラグを装着する前の充電器の斜視図である。７はプラスチック製（例えばＰＰＥ、ＰＣ等）の充電器の上ケース、８は上ケース７と同じ材質製の充電器の下ケース、９は充電器本体１７に回転可能に設けられたＡＣプラグ、１０ａ、１０ｂは充電器本体側に設けられた変換プラグのスライドフック５ａ、５ｂと係合するスライド溝である。スライド溝１０ａはＡＣプラグ９が収納される下ケース８の収納凹部１５の奥側の壁面位置に構成されており、スライド溝１０ｂは同収納凹部１５の外側の両端に溝形状で構成されている。１１はロック爪係合溝であり変換プラグの充電器本体１７への取り付け動作が完了したときにロック爪６が係合することによりスライドフック５ａ，５ｂの係合のはずれを防止している。
【００３０】
図２において１２は充電器の回路が実装される基板（部品は図示せず）であり、充電する電池（図示せず）を接続装着する電池装着部１６が形成された上ケース７と下ケース８との間に挟持されている。１３はバネ用りん青銅等により形成されたコンタクト端子であり変換プラグのプラグピン１にカシメ等により固定され、充電器本体１７のＡＣプラグ９との導通が確保されている。
【００３１】
同図を用いて本実施の形態における充電器の特徴を詳細に説明する。
【００３２】
本発明における充電器は充電器本体１７を携帯するときにはＡＣプラグ９が下ケース８の収納凹部１５に倒し込まれた位置で保持される。このために携帯性にすぐれたＡＣプラグ構造となっている。電池を充電する際にＡＣプラグ９をＡＣコンセントに差し込む場合はＡＣプラグは充電器本体１７と９０度の方向へ引き出された位置にて保持される。いまこのＡＣプラグ９が引き出された状態において変換プラグを取り付ける動作を行う。
【００３３】
変換プラグの挿入口４に充電器本体１７のＡＣプラグ９の刃を挿入する形で変換プラグを充電器本体１７の下ケース８に当接させる。次に変換プラグを図１のＤ方向へスライドさせることにより変換プラグのスライドフック５ａ，５ｂと充電器本体１７のスライド溝１０ａ，１０ｂとが係合を開始する。それと同時にロック爪６のボトムプレート３の底面から飛び出た部分がロック爪６の弾性変形により押し上げられ退避する。そしてスライドフック５ａ，５ｂの係合動作が完了すると同時に下ケース８に設けられたロック爪係合溝１１と変換プラグのロック爪６のボトムプレート３の底面から飛び出た部分の位置が合致し、ロック爪６がその弾性により押し戻されてロック爪係合溝１１に係合する。これによりスライドフック５ａ，５ｂが抜けることを防止する構成になっている。また、このスライドフック５ａ，５ｂの係合動作が完了すると同時にスライドフック５ｂに一体形成された防塵壁５ｃが図１に示すようにＡＣプラグ９の収納凹部１５の開口に蓋をするように位置し、外部からの埃や液体等の侵入を防ぐ効果を発揮する。
【００３４】
ここで、二箇所のスライドフック５ｂを結合するリブにより防塵壁５ｃが形成されている理由としては、スライドフック５ｂの補強と防塵壁５ｃの補強を兼ね備える目的であり、これによって変換プラグの充電器本体１７への固定強度を増強することが可能である。
【００３５】
一方変換プラグを充電器本体１７から取り外す際には、ロック爪レバー１４を指で引き上げることによりロック爪６とロック爪係合溝１１との係合が解除される。次に変換プラグをＤ方向とは逆の方向へスライドさせることによりスライドフック５ａ，５ｂの係合が解除されて充電器本体１７から変換プラグを取り外すことができる。
【００３６】
このように、平行刃のＡＣプラグ付き充電器をベースとして、各国のＡＣプラグ形状をした変換プラグを組替えることで容易に各国対応の充電器にすることができるものである。
【産業上の利用可能性】
【００３７】
本発明にかかる充電器は変換プラグを充電器本体に固定する係合部が３箇所設けられている。これにより変換プラグの充電器本体への固定が安定し、変換プラグのこじりに対する強度が強くなる。また、変換プラグが装着完了されたときにＡＣプラグの収納凹部の入り口に蓋をするように防塵壁が変換プラグに設けてあるため埃や液体等が変換プラグと充電器本体の間に浸入する可能性が低くなり、ＡＣプラグのトラッキングを発生させる可能性を低下させることが可能となるので、ＡＣプラグの形態を変換プラグを取り付けることにより異なった形態のＡＣプラグに変換可能とする充電器として有用である。
【符号の説明】
【００３８】
１      プラグピン
２      ハウジング
３      ボトムプレート
４      挿入口
５ａ    スライドフック
５ｂ    スライドフック
５ｃ    防塵壁
６      ロック爪
７      上ケース
８      下ケース
９      ＡＣプラグ
１０ａ  スライド溝
１０ｂ  スライド溝
１１    ロック爪係合溝
１２    回路基板
１３    コンタクト端子
１４    ロック爪レバー
１５    収納凹部
１６    電池装着部
１７    充電器本体
【図１】
2012043667.tif 000003
【図２】
2012043667.tif 000004
【図３】
2012043667.tif 000005
【図４】
2012043667.tif 000006
【図５】
2012043667.tif 000007
【図６】
2012043667.tif 000008
【図７】
2012043667.tif 000009
【図８】
2012043667.tif 000010